(57)【要約】      （修正有）【課題】ワイヤレス化したリアルタイム携帯型イベント心電計を提供する。【解決手段】被検体の胸部４に装着するセンサユニット２の構成部品の小型化とそのユニットの各構成部品及び各部品間の制御システムを最適化すること及びセンサユニット２から送信されたイベント時の生体情報を受信し記憶するユニット、受信ユニット１の構成部品の小型化とそのユニットの各構成部品及び各部品間の制御システムの最適化により、いつでもどこでもイベント時の生体情報がリアルタイムに記憶可能となり、付属するディスプレーで生体情報を自ら診断したり、携帯電話などの発信機能を持つ機器を経て病院等へ送信することにより、医師による診断を速やかに受けることが可能になり、心臓疾患者の日常生活での健康管理に役立つ。【選択図】図１
0003131953.tif 000002
【実用新案登録請求の範囲】
【請求項１】
被検体のイベント時の生体情報を胸部に装着するセンサユニットから無線で送信し、いつでもどこでもリアルタイムにそれらイベント時の生体情報を受信し記憶するユニットを小型化し、且つ、これら記憶情報やその解析・診断結果を附属のディスプレーで表示可能な携帯型イベント心電計
【考案の詳細な説明】
【技術分野】
【０００１】本考案は、モバイル型の小型ワイヤレス携帯型診断機能付イベント心電計に関するものである。
【背景技術】
【０００２】市場に流通しているイベント心電計は、胸部／手掌に装着した心電図波形や心拍数などのイベント時の生体情報を送出するユニットからそのイベント時の生体情報を受信し記憶するユニットまでが有線であるため、イベント心電計とその使用者との拘束が不可欠で、使用中の患者または被験者の行動は制約されている。【０００３】現行の小型のイベント心電計は、記録時間に制約が多く、１イベント当り６分程度が限界のため、長時間の記録には不向きである。【０００４】記録時間に制約のないイベント時に自動的に記録し送信するイベント心電計の場合は、重量が約１１０ｇと大きく、体の弱った患者には負担が大きすぎ使用が困難である。
【考案の開示】
【考案が解決しようとしている課題】
【０００５】不整脈や狭心症などが疑われる時に、その症状を日常の生活の中で確実に補足しようとする場合には、イベント時の心電図や心拍数などをリアルタイムに把握し、症状を診断出来るもっと軽量で小型化されたワイヤレスのイベント心電計の開発が求められている。従って、ワイヤレスにすることにより前述の欠点を解決しようとするものである。
【０００６】軽度の心臓に疾患のある患者の、２４時間以上の可能ならば一週間以上の日常生活でのイベント時の診断用に、患者がイベント情報を送受信できる携帯型の小型イベント心電計の開発が求められている。従って、長時間連続使用可能な小型化したイベント時の生体情報を受信し記憶するユニットを開発することにより前述の欠点を解決しようとするものである。
【課題を解決するための手段】
【０００７】本考案は、体の弱った患者の負担を最少にすべくイベント時に胸部に装着した心電図波形や心拍数などの生体情報を検出し送出するユニットを構成するセンサ駆動制御部、センシング信号送信部、アンテナ部及び、イベント時に生体情報の検出を開始するスイッチ部の各部品の小型化を図り、課題を解決している。
【０００８】本考案は、イベント時の心電図波形や心拍数などの生体情報を検出し送出するユニットの小型化のためにそのユニットを構成するセンサ駆動制御部、センシング信号送信部、アンテナ部のトータルの消費電力を最小にすべくイベント時の生体情報の検出・送出時と非検出時における各部及び各部位間の制御システムを最適化した。これにより、例えば、市販されている汎用コイン型の小型バッテリでイベント心電計は駆動でき、小型化の課題を解決している。実施例のイベント生体情報センサユニットは１１．５ｇと従来品の１／５〜１／２まで小型・軽量化できている。
【０００９】本考案は、イベント時の心電図波形や心拍数などの生体情報を受信するユニットを構成する信号分配部、受信部、心電図データ記憶部の各部品の小型化を図り、小型化の課題を解決している。
【００１０】イベント時の心電図波形や心拍数などの生体情報を受信するユニットを構成する信号分配部、受信部、心電図データ記憶部のトータルの消費電力を最小にするために、イベント時の生体情報の受信時と非受信時における各部及び各部位間の制御システムを最適化した。これにより心電図波形や心拍数などのイベント時の生体情報を受信する構成部位及び構成部位間のシステムを最小化する課題を解決した。
【００１１】心電図データ記憶部を小型化できたことから、ディスプレーを附属させ記憶情報の表示や解析結果の表示が可能となり、不整脈や狭心症など心臓疾患の診断機能に関する課題を解決した。
【考案の効果】
【００１２】  上述のように、本考案のワイヤレス携帯型診断機能付小型イベント心電計は、イベント時の心電図波形や心拍数などの生体情報をいつでもどこででも受信して記憶でき、且つ附属のディスプレーで表示できる。
【００１３】  上述のように、イベント時の心電図波形や心拍数などの生体情報をいつでもどこでもリアルタイムに受信し記憶でき、附属のディスプレーにてイベント時の生体情報及びその解析結果をみることができることから、そのイベント時の生体情報を被検者自身のみならず、被験者のかかりつけの病院や主治医にいつでもどこかからでも届けることが可能で、心臓疾患者の緊急時の対応に効果がある。
【考案を実施するための最良の形態】
【００１４】弊社の出願実用新案（出願番号実願２００６−９５７２）「ワイヤレス携帯型健康管理機能・リアルタイム送受信機能付小型心電計」で実用新案化を請求している生体情報システム、心電図波形や心拍数などの生体情報を検出し送出するユニットの構成部品、センサ駆動制御部、センシング信号送信部、アンテナ部の各部品をベースに組み立てたセンサユニットと生体情報を受信するユニットの構成部品、信号分配部、受信部、心電図データ記憶部をベースに組み立てた受信ユニットにおいて、イベント時に生体情報を検出し、送信する機能を稼動させるスイッチ部をセンサユニット内に付加することにより、ワイヤレス携帯型診断機能付小型イベント心電計を製作できる。
【実施例】
【００１５】  以下、添付図面に従って一実施例を説明する。
図１は、本考案のワイヤレス携帯型診断機能付小型イベント心電計の概略構成を示す図である。
４は被検体である。４の胸部にセンサユニット２を装着する。センサユニット部は、センサユニットに組み込まれたイベント時用スイッチをＯＮにすることにより稼動する。センサユニット２で検出された心電図、心拍数などのイベント時の生体情報は無線ネットワーク３で受信ユニット１に送信される。受信ユニット１で受信された心電図、心拍数などのイベント時の生体情報は心電図データ記憶部で記憶される。
図２は、センサユニット２を被検体４の胸部に装着している図である。
図３はセンサユニット２の構成図である。センサユニット２はセンサ本体とセンサ駆動制御部から構成されている。
図４は受信ユニット１の構成図である。データ記憶部で記憶されたデータは、受信ユニット１が記憶機能を有していることから、データの転送時間が不要で、そのまま専用の解析器に挿入し、解析される。尚、附属のディスプレーで記憶情報の表示や解析結果の表示が可能である。図４の場合は、携帯電話のディスプレー部で表示が可能である。
【図面の簡単な説明】
【００１６】
【図１】本考案のワイヤレス携帯型診断機能付小型イベント心電計の概略構成を示す図である。
【図２】センサユニット２を被検体４の胸部に装着している図である。
【図３】センサユニット２の構成図である。
【図４】受信ユニット１の構成図である。
【符号の説明】
【００１７】１受信ユニット
２センサユニット
３無線ネットワーク
４被検体
【図１】
0003131953.tif 000003
【図２】
0003131953.tif 000004
【図３】
0003131953.tif 000005
【図４】
0003131953.tif 000006